(57)【特許請求の範囲】
【請求項１】
既存の遮水シートを適宜な厚みに巻回した原反ロールを３本用い、各原反ロールの遮水シートの側部を適宜な幅に重ね合わせ、この重ね合わせた幅部分を融着して３本の遮水シートを１本に束ねた広幅遮水シートロールを設け、該広幅遮水シートロールのロール芯を既存の長尺な鋼管を使用したロール芯であって、該ロール芯の両端部を軸支するロール芯受けスタンドにおいて、
該スタンドは、それぞれ基台に立設する１対の支柱を設け、
これら両支柱のそれぞれ天端付近に、ロール芯を囲み軸支する３個のローラを設け、
これら３個のローラを、ロール芯の円心より水平方向に伸び、ロール芯の円周上で交わったそれぞれの位置より下がった位置であって、ロール芯の円弧状の下部外周面に接触する位置に設けた
ことを特徴とする広幅遮水シートロールにおけるロール芯受けスタンド。
【請求項２】
前記３個のローラは、これらのローラのうち１個目のローラは、ロール芯の円心より垂直方向に下がり、ロール芯の円周上で交わった位置でロール芯と当接するように設け、他の２個目、３個目のローラは、ロール芯の円心より水平方向に伸び、ロール芯の円周上で交わったそれぞれの位置より下方であって、これらの位置より下がった対称位置でそれぞれロール芯と当接するように設けた
ことを特徴とする請求項１記載の広幅遮水シートロールにおけるロール芯受けスタンド。
【請求項３】
前記３個のローラは、それぞれ高硬度のウレタンゴムを外周面に巻きつけた
ことを特徴とする請求項１記載の広幅遮水シートロールにおけるロール芯受けスタンド。
【請求項４】
前記ロール芯の水平方向の直径に回転自在に接するキャスターを設けた
ことを特徴とする請求項１記載の広幅遮水シートロールにおけるロール芯受けスタンド。
【発明の詳細な説明】
【技術分野】
【０００１】
この発明は、広幅遮水シートロールにおけるロール芯受けスタンドに関するものであって、特に、従来の遮水シートを加工し、重量化した広幅遮水シートロールから軽荷重で遮水シートを引き出すことができ、しかも、ロール芯がスタンドへの脱着に支障がないロール芯受けスタンドである。
【背景技術】
【０００２】
従来、遮水シートは、護岸に敷設して降雨や波等による決壊を防止し、或いは廃棄物処分場等の底部に敷設して、石炭灰等廃棄物から流れ出る有害物質が地下に浸透することを防ぐために用いるものである。
【０００３】
しかし、遮水シート敷設工事の規模の大きさによっては、当然、該遮水シートは縦・横巨大なシートが必要となる。しかし、遮水シートの原反ロールは製造規格で２．０ｍ幅であり３０ｍ幅の遮水シートに加工するには原反ロールが１５本必要である。このような大型の遮水シートに広幅加工する作業は煩雑であり、しかも、広幅に加工した薄い遮水シートを施工現場まで破損や亀裂させることなく慎重に移動させる作業は長時間を要するものであった。
【０００４】
元々、この遮水シートの広幅作業は、施工現場近傍で行っており、施工現場によっては冬季には作業が不可能な作業環境下にあり，しかも工期の厳守が求められており、通常、人員、機械や設備を増やし工期短縮を図っているものの、それでも工期短縮には限界があった。そこで着目したのが冬季の休止期間であり、この期間を有効活用して施工現場の作業を予めこの休止期間中に遮水シートの広幅作業を行うことである。
【０００５】
施工現場では、遮水シートを３０ｍ幅に広幅加工したものを用いるもので、原反ロール１５本を前後二列の千鳥状に並べて、隣接する遮水シートの側面同士を適宜な幅に重ね合わせ、この重ねた合わせた幅部分を融着して広幅加工しているのが現状である。
【０００６】
そこで、先ずは予め屋内で２．０ｍ幅の原反ロールを３本用いて広幅加工し、６．０ｍ幅の広幅遮水シートロール（即ち、３連反ロール）を事前に加工することにより、現場では６．０ｍ幅の３連反ロールを５本用いて並べて３０ｍ幅に広幅加工すれば、工期短縮が十分図れるとの結論に達した。
【０００７】
しかし、工期短縮が予定通りに行えるとしても、前記広幅遮水シートロール（３連反ロール）のロール芯は、３連反ロール分の重量（３倍）がかかり、従来のロール芯並びにロール受けスタンドでは重量があり、そのまま使用しても効率よく稼動できない。即ち、従来のスタンドは支柱の天端に、金属製の帯材で、上部がやや開いたＵ字形状に形成されたロール受けであり、このようなロール受けと広幅遮水シートロールのロール芯では、摩擦力が強く、軽荷重（即ち、少人数）で回転稼動させることは不可能であった。
【０００８】
従って、広幅遮水シートロールに用いる長尺で円筒状のロール芯を、軽荷重で回転させることのできる軸受装置（ロール芯受け）の開発が求められる。
なお、「ローラの軸受装置」は存在している。例えば特許文献１のように。
【先行技術文献】
【特許文献】
【０００９】
【特許文献１】実公昭５１−２５６２２号公報
【００１０】
しかし、特許文献１は、高温部体を搬送するために用いるローラの軸受装置であって、本願発明のように長尺で円筒状のロール芯（軸）を軽荷重で回転させる軸受装置構造の技術とは、目的も構造も全く異なるものである。
【発明の概要】
【発明が解決しようとする課題】
【００１１】
そこでこの発明は、従来品である重量化していた広幅遮水シートロールを、軽荷重で該ロールから遮水シートを引き出すことができ、しかもロール芯の上げ下げに支障がない広幅遮水シートロール芯受けスタンドを開発・提供するものである。
【課題を解決するための手段】
【００１２】
この発明の広幅遮水シートロール芯受けスタンドは、既存の遮水シートを適宜な厚みに巻回した原反ロールを３本用い、各原反ロールの遮水シートの側部を適宜な幅に重ね合わせ、この重ね合わせた幅部分を融着して３本の遮水シートを１本に束ねた広幅遮水シートロールを設け、該広幅遮水シートロールのロール芯を既存の長尺な鋼管を使用したロール芯であって、該ロール芯の両端部を軸支するロール芯受けスタンドにおいて、該スタンドは、それぞれ基台に立設する１対の支柱を設け、これら両支柱のそれぞれ天端付近に、ロール芯を囲み軸支する３個のローラを設け、これら３個のローラを、ロール芯の上げ下げに支障がない位置に設けたことを特徴とする。
【００１３】
また、前記３個のローラは、これらのローラのうち１個目のローラは、ロール芯の円心より垂直方向に下がり、ロール芯の円周上で交わった位置でロール芯と当接するように設け、他の２個目、３個目のローラは、ロール芯の円心より水平方向に伸び、ロール芯の円周上で交わったそれぞれの位置より下方であって、これらの位置より下がった対称位置でそれぞれロール芯と当接するように設けたことを特徴とする。
【００１４】
そして、前記３個のローラは、それぞれ高硬度のウレタンゴムを外周面に巻きつけたことを特徴とする。
【００１５】
さらに、前記ロール芯の水平方向の直径に回転自在に接するキャスターを設けたことを特徴とする。
【発明の効果】
【００１６】
この発明によると、堅牢な鋼製のロール芯の両端を、それぞれの支柱に設けた３組の軸受ユニットに取り付ける３組のローラで支持するため、広幅遮水シートロールの回転が滑らかであり、軽荷重で広幅遮水シートロール（３連反ロール）から遮水シートを取り出すことができ、３個のローラの１個が、円心の垂直と、２個が水平方向の対称位置に設けるため、片寄らなくて安定よく軸支されスタンドに負担が掛からない等の効果を奏する。
【００１７】
さらに、広幅遮水シートロールのロール芯を軸支する３個のローラは、ロール芯の水平方向より下方に設けたことにより、各ローラは上方から下方に装着しあるいは、下方から上方に向けて脱着する際にロール芯の脱着に支障がなく、素早く簡単に行える。また、ローラ芯の水平直径部の位置に、キャスターを設けることにより遮水シートを引っ張る際、ローラ芯が浮き上がり脱落するのを該キャスターで防止できる等の効果を有する。
【図面の簡単な説明】
【００１８】
【図１】この発明に使用する支柱の片方の一実施例を示し、（Ａ）は、右側面図であり、（Ｂ）は、正面図である。
【図２】この発明に使用する支柱の片方の天端の一実施例を示す部分拡大平面図である。
【図３】この発明の一実施例の全体を示し、（Ａ）は、一部を切り欠いた平面図であり、（Ｂ）は、一部を切り欠いた正面図であり、（Ｃ）は、右側面図である。
【図４】この発明の実施状態を示す説明図である。
【発明を実施するための形態】
【００１９】
以下、この発明の好適な実施の形態について説明するが、この発明においては、以下の記述に限定されるものではなく、この発明の要旨を逸脱しない範囲においては適宜変更可能である。
【実施例】
【００２０】
そこでこの発明の一実施例を図１〜図４に基づいて詳細に説明すると、既存の遮水シート（ｘ１），（ｘ２），（ｘ３）を適宜な厚みに巻回した原反ロールを３本用い、各原反ロールの遮水シートの側部を適宜な幅に重ね合わせ、この重ね合わせた幅部分を融着して３本の遮水シートを１本に束ねた広幅遮水シートロール（Ｘ）を設け、該広幅遮水シートロールのロール芯（３）を既存の長尺な鋼管を用いたロール芯であって、該ロール芯（３）の両端部を軸支するロール芯受けスタンドにおいて、該スタンドは、それぞれ基台（１），（１´）に立設する１対の支柱（２）（２´）を設け、これら両支柱のそれぞれ天端付近に、ロール芯（３）を囲み軸支する３個のローラ（５ａ），（５ｂ），（５ｃ）を設け、これら３個のローラを、ロール芯の脱着（上げ下げ）に支障がない位置に設けたことを特徴とする広幅遮水シートロールにおけるロール芯受けスタンドである。
【００２１】
なお、前記支柱（２），（２´）は、一対の独立した基台（１），（１´）上に設け、設置するか、あるいは、前記基台（１），（１´）間を連結する長尺な基台を設け、該長尺な基台を介し、該基台の両側に起立して設ける構成でもよい。本発明は前者の実施例で説明する。
【００２２】
前記３個のローラ（５ａ），（５ｂ），（５ｃ）は、これらのローラのうち１個目のローラ（５ａ）は、ロール芯（３）の円心より垂直方向に下がり、ロール芯の円周上で交わった位置でロール芯と当接するように設け、他の２個目、３個目のローラ（５ｂ），（５ｃ）は、ロール芯（３）の円心より水平方向に伸び、ロール芯の円周上で交わった位置より下方であって、これらの位置より下がった対称位置でそれぞれロール芯（３）と当接するように設けたものである。
【００２３】
前記支柱（２），（２´）の一実施例を詳述すると、これらの支柱は４本の平行フランジ溝型鋼（シーチャンネルともいう。）〔ＰＦＣ１２５×６５×７．５×４．７〕を用いたサブ支柱（２ａ），（２ｂ），（２ｃ），（２ｄ）で構成され、これら４本のサブ支柱は、平面視で長方形の形状となるよう、該長方形（横５５５ｍｍ×縦１３０ｍｍ）形状になるよう該長方形の各角部にそれぞれ各サブ支柱を配置して設けるものである。
【００２４】
この配置により、各サブ支柱間には、それぞれ間隔部を有しており、長い方の長間隔部（α）〔３０５ｍｍ〕には前記ロール芯（３）が遊嵌可能な幅を有し、短い方の短間隔部（β）〔８２ｍｍ〕には、軸受ユニット（４）に設けたローラ（５ａ），（５ｂ），（５ｃ）の横幅が遊嵌可能な幅を有するよう構成している。
【００２５】
そして、前記４本の各サブ支柱の断面形状は、図２に示すように「コ」字状であり、即ち，溝底片と該溝底片の両脇をそれぞれ直角に折り曲げて構成する左右の溝側片で形成されており、相対向するサブ支柱（２ａ）と（２ｃ）、サブ支柱（２ｂ）と（２ｄ）は、それぞれロール芯（３）と直交する方向に、溝底片同士が背中合わせとなるよう配置するものである。
【００２６】
前記ロール芯（３）は、従来より使用しているもので、素材はパイプ状の鋼管を用い、その口径は２６７．４ｍｍであり、長さは７５００ｍｍであり、パイプ肉厚は、６．６ｍｍである。このロール芯は広幅遮水シートロール（Ｘ）に対して極めて堅牢であり、また口径も太いため、該ロール芯（３）の両端部を支えるそれぞれ３個のローラ（５ａ），（５ｂ），（５ｃ）も、ロール芯（３）の円周上の外周に余裕を持ってセットできる。
【００２７】
さらに、前述のように、前記ロール芯（３）を支える３個のローラのうち、ローラ（５ｂ）は、ロール芯（３）の真下から支えるもので、補強板（８）の上面中央と相対向する補強板（８）の上面中央に跨座する軸受ユニット（４）に軸支されている。
【００２８】
また、他のローラ（５ａ）と（５ｃ）は、図１（Ａ）で明らかなように、ロール芯（３）の横脇から支えるもので、ローラの軸は、サブ支柱（２ａ）と（２ｃ）、（２ｂ）と（２ｄ）の各垂直面に跨座する軸受ユニット（４）、（４）に軸支されている。なお、軸受ユニット（４）は、既存のピローブロックを使用している。
【００２９】
このように、前記ロール芯（３）は、該ロール芯の円弧状の下部外周面に前記３個のローラ（５ａ，５ｂ，５ｃ）が接触して受け止めている。
【００３０】
そして、前記３個のローラには、それぞれ高硬度のウレタンゴムをローラの外周面に巻きつけたことで、ロール芯がウレタンに喰い込み易く、各ローラの偏荷重を抑制する事により、滑らかに回転することが可能となった。
【００３１】
さらに、前記ロール芯（３）の水平方向の直径に、回転自在に接するキャスター（６）を設けることによりロール芯（３）が引出方向〔図４を参照〕に引っ張られる際にロール芯が浮き上がるのを防止することができる。〔即ち，反力をキャスター（６）が受けて脱落を防止する。〕よう構成している。
【００３２】
また、前記ロール芯（３）のそれぞれ両端面側には、ズレ止め（７）、（７´）を設け、ロール芯が脱落することを防止している。
【００３３】
さらに、支柱（２），（２´）を構成するそれぞれ４本のサブ支柱には、転倒防止部材（９）を複数本設けて支柱の転倒防止を図るよう構成しているものである。
【産業上の利用可能性】
【００３４】
この発明の広幅遮水シートロールにおけるロール芯受けスタンドの技術を確立し、実施することにより産業上の利用可能性を有する。
【符号の説明】
【００３５】
１，１´                基台
２，２´                支柱
２ａ，２ｂ，２ｃ，２ｄ  サブ支柱
３                      ロール芯
４                      軸受ユニット
５ａ，５ｂ，５ｃ        ローラ
６                      キャスター
７，７´                ズレ止め
８，８´                補強板
９                      転倒防止部材
Ｘ                      広幅遮水シートロール
ｘ１，ｘ２，ｘ３        遮水シート
α                      長間隔部
β                      短間隔部
【要約】      （修正有）【課題】従来の重量化していた広幅遮水シートロールを、軽荷重で該ロールから遮水シートを引き出すことができ、しかもロール芯の上げ下げに支障がない広幅遮水シートロール芯受けスタンドを提供する。【解決手段】既存の遮水シートを適宜な厚みに巻回した原反ロールを３本用い、各原反ロールの遮水シートの側部を適宜な幅に重ね合わせ、重ね合わせた幅部分を融着して３本の遮水シートを１本に束ねた広幅遮水シートロールを設け、該広幅遮水シートロールのロール芯を既存の長尺な鋼管を使用したロール芯（３）であって、該ロール芯の両端部を軸支するロール芯受けスタンドにおいて、該スタンドは、基台（１）（１´）に立設する１対の支柱を設け、これら両支柱のそれぞれ天端付近に、ロール芯を囲み軸支する３個のローラ（５ａ），（５ｂ），（５ｃ）を設け、これら３個のローラを、ロール芯の上げ下げに支障がない位置に設ける。【選択図】図１【図１】
0006852139.tif 000002
【図２】
0006852139.tif 000003
【図３】
0006852139.tif 000004
【図４】
0006852139.tif 000005